(57)【要約】【課題】ダイエットを希望するユーザのダイエットメニューを廉価に提供する。【解決手段】このお買い得食品を使用したダイエットメニュー提供システムは、ダイエットメニューを希望するユーザが使用するパソコン等の情報処理装置であるユーザ端末１０と、このユーザ端末１０からの情報を元にダイエットメニューを提供するレシピ提供システム２０と、ユーザと予め契約されたスーパーマーケット等の店舗である店舗群３０とを備え、各々インターネット１００を介して接続されている。ユーザの身長と体重から標準体重と肥満度を算出し、肥満の場合はユーザが希望する減量期間内で標準体重まで減量するための食事の最大カロリーを自動計算する機能と、予め登録されたスーパーマーケット等の店舗群のお買い得食品を受信し、このお買い得食品を元に最大カロリーの範囲内のダイエットメニューを提供する機能とを保有することを特徴とする。【選択図】      図１
2004252634.tif 000002
【特許請求の範囲】
【請求項１】
ユーザの身長と体重から標準体重と肥満度を算出し、肥満の場合は前記ユーザが希望する減量期間内で前記標準体重まで減量するための食事の最大カロリーを自動計算する機能と、予め登録されたスーパーマーケット等の店舗のお買い得食品を受信し、このお買い得食品を元に最大カロリーの範囲内のダイエットメニューを提供する機能とを備えることを特徴とするお買い得食品を使用したダイエットメニュー提供システム。
【請求項２】
ダイエットメニューを希望するユーザが使用するパソコン等の情報処理装置であるユーザ端末と、前記ユーザ端末からの情報を元に前記ダイエットメニューを提供するレシピ提供システムと、前記ユーザと予め契約されたスーパーマーケット等の店舗である店舗群とを備え、各々インターネットを介して接続されていることを特徴とするお買い得食品を使用したダイエットメニュー提供システム。
【請求項３】
前記ユーザ端末が、前記ユーザの名前、性別、年齢、身長、体重、メールアドレス等を前記インターネットを介して前記レシピ提供システムへ送付する機能と、前記レシピ提供システムから送付された肥満度の計算結果の内容を表示し、その結果希望する減量期間を前記レシピ提供システムへ送付する機能と、前記レシピ提供システムからの前記ダイエットメニューを受信して前記ダイエットメニューを表示する機能とを有することを特徴とする請求項２記載のお買い得食品を使用したダイエットメニュー提供システム。
【請求項４】
前記レシピ提供システムが、サーバ等の情報処理装置である処理装置と、食品毎のダイエットメニューとその熱量（カロリー）の一覧が格納されたデータベースであるレシピＤＢ（データベース）と、ダイエット専門医師の診断に基づいた減量値と減量期間とから一回に取る食事の最大カロリー値が格納されたデータベースである最大カロリー値ＤＢとから構成されていることを特徴とする請求項２記載のお買い得食品を使用したダイエットメニュー提供システム。
【請求項５】
前記処理装置が、前記ユーザ端末から送付されたユーザの身長及び体重の情報を元に標準体重と肥満度を算出して前記ユーザ端末へ送付する機能と、前記ユーザ端末からの減量期間と前記ユーザの体重を標準体重まで減量するための減量値を元に前記最大カロリー値ＤＢを検索して一回の食事の最大カロリー値を抽出する機能と、前記最大カロリー値と店舗群から送付された食品を元に前記レシピＤＢからダイエットメニューを選択して前記ユーザ端末へ送付する機能とを有することを特徴とする請求項４記載のお買い得食品を使用したダイエットメニュー提供システム。
【請求項６】
前記店舗群が、店舗毎のお買い得食品を決められた期間毎に前記インターネットを介して前記レシピ提供システムへ送付する機能を有することを特徴とする請求項２記載のお買い得食品を使用したダイエットメニュー提供システム。
【請求項７】
ダイエットを希望するユーザはユーザ端末からインターネットを介してレシピ提供システムへ前記ユーザの個人情報である名前、性別、年齢、身長、体重、メールアドレス等を送付し、前記レシピ提供システムは前記個人情報を元に標準体重を計算してその結果を前記インターネットを介して前記ユーザ端末へ送付し、前記ユーザはその内容を確認の上、前記ユーザ端末から前記標準体重まで減量する減量期間を前記レシピ提供システムへ送付し、前記レシピ提供システムは最大カロリー値ＤＢを検索して減量値と前記減量期間を元に一回当たりの食事の最大カロリー値を抽出して記憶し、一方、店舗群は一定期間のお買い得食品を前記レシピ提供システムに送付し、前記レシピ提供システムはこの情報から前記一定期間の材料が重複しないようお買い得商品を選択し、最後に、前記レシピ提供システムは先に記憶した一回当たりの食事の前記最大カロリー値と毎日のお買い得商品材料の情報を元に前記レシピＤＢを検索して日毎のメニューを選択し、その結果を抽出して、前記インターネットを介して前記ユーザ端末へ送付することを特徴とするお買い得食品を使用したダイエットメニュー提供方法。
【請求項８】
同一日に材料及びカロリーから決定されるメニューが前記レシピＤＢ内に複数存在する場合は、それらを前記ユーザ端末に送付して前記ユーザに好みのメニューを選択させるか、または、メニュー毎に送付された日付を前記レシピＤＢに前記ユーザ毎に記録しておき、かかる複数の前記メニュー中、最近送付されていない一の前記メニューを選択して送付するようにすることを特徴とする請求項７記載のお買い得食品を使用したダイエットメニュー提供方法。
【請求項９】
ユーザの身長と体重から標準体重と肥満度を算出し、肥満の場合は前記ユーザが希望する期間内で標準体重まで減量するための食事の最大カロリーを自動計算する機能と、予め登録されたスーパーマーケット等の店舗群のお買い得食品を受信し、このお買い得食品を元に最大カロリーの範囲内のダイエットメニューを提供する機能とを実現させるためのお買い得食品を使用したダイエットメニュー提供システム用プログラム。
【発明の詳細な説明】
【０００１】
【発明の属する技術分野】
本発明はお買い得食品を使用したダイエットメニュー提供システム、提供方法、及びそれを実現するためのプログラムに関し、特に、ダイエットを希望するユーザのダイエットメニューを廉価に提供するお買い得食品を使用したダイエットメニュー提供システム、提供方法、及びそれを実現するためのプログラムに関する。
【０００２】
【従来の技術】
従来のメニュー提供システムは、顧客に対して適切なレシピを紹介し、その材料の販売促進を図ると共に顧客の固定化を図る献立提供システムを提供する（例えば、特許文献１参照）。
【０００３】
この従来のメニュー提供システムは、図１０に示すように、ダイエット、糖尿病、高血圧等の推奨目的別に分類された献立毎についてのレシピ及びカロリーが登録された料理データベース３３と、表示装置３９とプリンタ４０と操作入力装置４１とを備えた制御装置４２とを備える。制御装置４２、操作入力装置４１からの献立に関する選択操作入力に応じて、料理データベース３３から選択入力された献立のレシピ及びカロリーを検索し、表示装置３９にレシピを表示し、操作入力装置４１からの印刷に関する操作入力に応じてレシピ及びカロリーを印刷する。
【０００４】
【特許文献１】
特開２００２−２０７８１９号公報（請求項１，図１）
【０００５】
【発明が解決しようとする課題】
この従来のメニュー提供システムの第１の問題点は、食費について考慮していない、ということである。その理由は、スーパーマーケット等の店舗のお買い得食品の情報を考慮していないことにある。
【０００６】
第２の問題点は、ダイエットをする場合の減量期間を考慮していない、ということである。
【０００７】
第３の問題点は、一週間の材料を重複することなく選択することがないような配慮がないことである。
【０００８】
本発明の目的は、ダイエットを希望するユーザのダイエットメニューを廉価に提供するお買い得食品を使用したダイエットメニュー提供システム、提供方法、及びそれを実現するためのプログラムを提供することにある。
【０００９】
【課題を解決するための手段】
本発明のお買い得食品を使用したダイエットメニュー提供システムは、ユーザの身長と体重から標準体重と肥満度を算出し、肥満の場合は前記ユーザが希望する減量期間内で前記標準体重まで減量するための食事の最大カロリーを自動計算する機能と、予め登録されたスーパーマーケット等の店舗のお買い得食品を受信し、このお買い得食品を元に最大カロリーの範囲内のダイエットメニューを提供する機能とを備える。
【００１０】
また、本発明のお買い得食品を使用したダイエットメニュー提供システムは、ダイエットメニューを希望するユーザが使用するパソコン等の情報処理装置であるユーザ端末と、前記ユーザ端末からの情報を元に前記ダイエットメニューを提供するレシピ提供システムと、前記ユーザと予め契約されたスーパーマーケット等の店舗である店舗群とを備え、各々インターネットを介して接続されていることを特徴とする。
【００１１】
さらに、本発明のお買い得食品を使用したダイエットメニュー提供システムは、前記ユーザ端末が、前記ユーザの名前、性別、年齢、身長、体重、メールアドレス等を前記インターネットを介して前記レシピ提供システムへ送付する機能と、前記レシピ提供システムから送付された肥満度の計算結果の内容を表示し、その結果希望する減量期間を前記レシピ提供システムへ送付する機能と、前記レシピ提供システムからの前記ダイエットメニューを受信して前記ダイエットメニューを表示する機能とを有することを特徴とする。
【００１２】
さらに、本発明のお買い得食品を使用したダイエットメニュー提供システムは、前記レシピ提供システムが、サーバ等の情報処理装置である処理装置と、食品毎のダイエットメニューとその熱量（カロリー）の一覧が格納されたデータベースであるレシピＤＢ（データベース）と、ダイエット専門医師の診断に基づいた減量値と減量期間とから一回に取る食事の最大カロリー値が格納されたデータベースである最大カロリー値ＤＢとから構成されていることを特徴とする。
【００１３】
さらに、本発明のお買い得食品を使用したダイエットメニュー提供システムは、前記処理装置が、前記ユーザ端末から送付されたユーザの身長及び体重の情報を元に標準体重と肥満度を算出して前記ユーザ端末へ送付する機能と、前記ユーザ端末からの減量期間と前記ユーザの体重を標準体重まで減量するための減量値を元に前記最大カロリー値ＤＢを検索して一回の食事の最大カロリー値を抽出する機能と、前記最大カロリー値と店舗群から送付された食品を元に前記レシピＤＢからダイエットメニューを選択して前記ユーザ端末へ送付する機能とを有することを特徴とする。
【００１４】
さらに、本発明のお買い得食品を使用したダイエットメニュー提供システムは、前記店舗群が、店舗毎のお買い得食品を決められた期間毎に前記インターネットを介して前記レシピ提供システムへ送付する機能を有することを特徴とする。
【００１５】
さらに、本発明のお買い得食品を使用したダイエットメニュー提供方法は、ダイエットを希望するユーザはユーザ端末からインターネットを介してレシピ提供システムへ前記ユーザの個人情報である名前、性別、年齢、身長、体重、メールアドレス等を送付し、前記レシピ提供システムは前記個人情報を元に標準体重を計算してその結果を前記インターネットを介して前記ユーザ端末へ送付し、前記ユーザはその内容を確認の上、前記ユーザ端末から前記標準体重まで減量する減量期間を前記レシピ提供システムへ送付し、前記レシピ提供システムは最大カロリー値ＤＢを検索して減量値と前記減量期間を元に一回当たりの食事の最大カロリー値を抽出して記憶し、一方、店舗群は一定期間のお買い得食品を前記レシピ提供システムに送付し、前記レシピ提供システムはこの情報から前記一定期間の材料が重複しないようお買い得商品を選択し、最後に、前記レシピ提供システムは先に記憶した一回当たりの食事の前記最大カロリー値と毎日のお買い得商品材料の情報を元に前記レシピＤＢを検索して日毎のメニューを選択し、その結果を抽出して、前記インターネットを介して前記ユーザ端末へ送付することを特徴とする。
【００１６】
さらに、本発明のお買い得食品を使用したダイエットメニュー提供方法は、同一日に材料及びカロリーから決定されるメニューが前記レシピＤＢ内に複数存在する場合は、それらを前記ユーザ端末に送付して前記ユーザに好みのメニューを選択させるか、または、メニュー毎に送付された日付を前記レシピＤＢに前記ユーザ毎に記録しておき、かかる複数の前記メニュー中、最近送付されていない一の前記メニューを選択して送付するようにすることを特徴とする。
【００１７】
【発明の実施の形態】
本発明は、ダイエットを希望するユーザのダイエットメニューを廉価に提供する方法に関する発明である。ユーザの身長と体重から標準体重と肥満度を算出し、肥満の場合はユーザが希望する減量期間内で標準体重まで減量するための食事の最大カロリーを自動計算する機能と、予め登録されたスーパーマーケット等の店舗群のお買い得食品を受信し、このお買い得食品を元に最大カロリーの範囲内のダイエットメニューを提供する機能とを保有することを特徴とする。また、これらの機能を実現させるためのお買い得食品を使用したダイエットメニュー提供方法及びこのシステム用プログラムを提供する。
【００１８】
次に、本発明の実施の形態について図面を参照して詳細に説明する。
【００１９】
図１は本発明の一実施の形態の構成を示すブロック図であり、図２はこの実施の形態のレシピ提供システムの構成図であり、図３はこの実施の形態の動作を示すのフローチャートであり、図４はこの実施の形態のユーザ端末から入力する情報の一例を示す図であり、図５はこの実施の形態のレシピ提供システムから送付される肥満度の計算結果の一例を示す図であり、図６はこの実施の形態のレシピＤＢに格納されたダイエットメニューの一例を示す図であり、図７はこの実施の形態のダイエットメニューの詳細を示す図であり、図８はこの実施の形態の店舗群から送付されるお買い得食品の一覧の一例を示す図であり、図９はこの実施の形態の最大カロリー値ＤＢのデータ格納の一例を示す図である。
【００２０】
本発明の一実施の形態は、図１に示す通り、ユーザ端末１０，レシピ提供システム２０及び店舗群３０から構成されており各々インターネット１００を介して接続されている。
【００２１】
ユーザ端末１０はダイエットメニューを希望するユーザが使用するパソコン等の情報処理装置であり、図４に示す内容、即ち名前、性別、年齢、身長（ｍ表示）、体重（ｋｇ表示）、メールアドレス等をインターネット１００を介してレシピ提供システム２０へ送付する機能と、レシピ提供システム２０から送付された図５の内容、即ち肥満度等の計算結果を表示し、その結果希望する減量期間βをレシピ提供システム２０へ送付する機能を有する。
【００２２】
さらに、ユーザ端末１０はレシピ提供システム２０からのダイエットメニューを受信して図７に示すダイエットメニューの一例を表示する機能を有する。
【００２３】
レシピ提供システム２０はユーザ端末１０からの情報を元にダイエットメニューを提供するシステムであり、図２に示す通り処理装置２０１とレシピＤＢ（データベース）２０２及び最大カロリー値ＤＢ２０３より構成されている。
【００２４】
処理装置２０１はサーバ等の情報処理装置であり、ユーザ端末１０から送付されたユーザの身長及び体重の情報を元に例えばＷＨＯ（世界保健機関）基準で定めたＢＭＩ（Ｂｏｄｙ  Ｍａｓｓ  Ｉｎｄｅｘ）法による標準体重と肥満度を算出してユーザ端末１０へ送付する機能を有する。
【００２５】
さらに、処理装置２０１はユーザ端末１０からの減量期間βとユーザの体重を標準体重まで減量するための減量値αを元に最大カロリー値ＤＢ２０３を検索して一回の食事の最大カロリー値γを抽出する機能を有する。
【００２６】
さらに、処理装置２０１は最大カロリー値γと店舗群３０から送付された食品を元にレシピＤＢ２０２からダイエットメニューを選択して図７の形式でユーザ端末１０へ送付する機能を有する。
【００２７】
レシピＤＢ２０２は食品毎のダイエットメニューとその熱量（カロリー）の一覧が格納されたデータベースであり格納例を図６に示す。
【００２８】
最大カロリー値ＤＢ２０３はダイエット専門医師の診断に基づいた減量値と減量期間とから一回に取る食事の最大カロリー値が格納されたデータベースであり、図９に格納例を示す。
【００２９】
店舗群３０はユーザと予め契約されたスーパーマーケット等の店舗であり、店舗毎のお買い得食品を決められた期間毎にインターネット１００を介してレシピ提供システム２０へ送付する機能を有する。
【００３０】
次に図１，図２，図３，図４，図５，図６，図７，図８及び図９を参照して、この実施の形態の動作を詳細に説明する。
【００３１】
先ず、ダイエットを希望するユーザはユーザ端末１０からインターネット１００を介してレシピ提供システム２０へユーザの個人情報を図４の内容で送付する（ステップＡ１）。
【００３２】
レシピ提供システム２０は図４の身長（Ｄ）と体重（Ｅ）を元にＷＨＯ基準のＢＭＩ法により
体重（Ｅ）ｋｇ÷身長（Ｄ）ｍの二乗＝標準体重（ｋｇ）
を計算してその結果を図５の形式に整理してインターネット１００を介してユーザ端末１０へ送付する（ステップＡ２）。
【００３３】
ユーザはその内容を確認の上、ユーザ端末１０から標準体重ＨＨまで減量する減量期間βをレシピ提供システム２０へ送付する（ステップＡ３）。
【００３４】
レシピ提供システム２０は最大カロリー値ＤＢ２０３を検索して減量値αと減量期間βを元に一回当たりの食事の最大カロリー値γを抽出して記憶する（ステップＡ４）。
【００３５】
一方、店舗群３０は例えば一週間分のお買い得食品をレシピ提供システム２０へ図８の形式で送付する（ステップＡ５）。
【００３６】
レシピ提供システム２０はこの情報からお買い得商品を以下の通り選択する（ステップＡ６）。
【００３７】
まず、店舗群３０の各店舗から送られてきたお買い得商品から、日毎のお買い得商品を下記のように抽出する。
【００３８】
××月××日（月）      いわし、さんま、牛肉・・・
××月○○日（火）      豚肉、鶏肉、くじら・・・
××月□□日（水）      豆腐、にじます・・・
××月△△日（木）      ・・・・・
××月◇◇日（金）      ・・・・・
××月▽▽日（土）      ・・・・・
次に、一週間の材料が重複しないようにお買い得商品を選択する。選択結果例を以下に示す。
【００３９】
××月××日（月）      いわし・・・・▲１▼
××月○○日（火）      牛肉  ・・・・▲２▼
××月□□日（水）      にじます・・・▲３▼
××月△△日（木）      鶏肉・・・・・▲４▼
××月◇◇日（金）      納豆・・・・・▲５▼
××月▽▽日（土）      豚肉・・・・・▲６▼
最後に、レシピ提供システム２０は先に記憶した一回当たりの食事の最大カロリー値γ（このケースの場合は５００Ｋｃａｌと仮定する）と上記の毎日のお買い得商品材料▲１▼〜▲６▼の情報を元にレシピＤＢ２０２を検索して日毎のメニューを選択し（図６参照）、その結果を抽出して、図７の形式でインターネット１００を介してユーザ端末１０へ送付する（ステップＡ７）。このとき、送付するメニューの材料をお買い得商品として提供している店舗の名称などの情報も同時に送付される。
【００４０】
なお、同一日に材料及びカロリーから決定されるメニューがレシピＤＢ２０２内に複数存在する場合は、それらをユーザ端末１０に送付してユーザに好みのメニューを選択させる。または、メニュー毎に送付された日付をレシピＤＢ２０２にユーザ毎に記録しておき、かかる複数のメニュー中、最近送付されていない一のメニューを選択して送付するようにしてもよい。こうすることにより、メニュー選択に偏りが無くなり、さらに効果的なダイエット効果が期待できる。
【００４１】
ユーザ端末１０に表示されたユーザは毎日のお買い得食品を手に入れて送付された調理方法を参考にして、材料を購入し、調理することができる（ステップＡ８）。
【００４２】
【発明の効果】
以上説明したように、本発明の第１の効果は、ダイエットをする場合の減量期間をユーザが指定できる、ということである。
【００４３】
第２の効果は、一週間の材料を重複することなく選択することができる、ということである。
【００４４】
第３の効果は、最大カロリー量とお買い得食品の情報との両者からメニューを選択することにより、経済的なダイエットメニューを提供できる、ということである。
【図面の簡単な説明】
【図１】本発明の一実施の形態の構成を示すブロック図である。
【図２】この実施の形態のレシピ提供システムの構成図である。
【図３】この実施の形態の動作を示すのフローチャートである。
【図４】この実施の形態のユーザ端末から入力する情報の一例を示す図である。
【図５】この実施の形態のレシピ提供システムから送付される肥満度の計算結果の一例を示す図である。
【図６】この実施の形態のレシピＤＢに格納されたダイエットメニューの一例を示す図である。
【図７】この実施の形態のダイエットメニューの詳細を示す図である。
【図８】この実施の形態の店舗群から送付されるお買い得食品の一覧の一例を示す図である。
【図９】この実施の形態の最大カロリー値ＤＢのデータ格納の一例を示す図である。
【図１０】従来例の構成を示すブロック図である。
【符号の説明】
１０    ユーザ端末
２０    レシピ提供システム
３０    店舗群
１００    インターネット
２０１    処理装置
２０２    レシピＤＢ
２０３    最大カロリー値ＤＢ
【図１】
2004252634.tif 000003
【図２】
2004252634.tif 000004
【図３】
2004252634.tif 000005
【図４】
2004252634.tif 000006
【図５】
2004252634.tif 000007
【図６】
2004252634.tif 000008
【図７】
2004252634.tif 000009
【図８】
2004252634.tif 000010
【図９】
2004252634.tif 000011
【図１０】
2004252634.tif 000012